(57)【特許請求の範囲】
【請求項１】
本体の底面を構成するベースと、ベースに取付けられ本体の前面及び左右側面部を構成する外胴と、前記外胴の上面を覆う天板と、本体内を機械室と熱交換室とに区画する仕切板と、前記機械室に配置された圧縮機と、前記熱交換室に配置されＬ字状に形成された室外熱交換器及び送風ファンとからなる空気調和機の室外機において、
前記外胴の一部であって前記熱交換室側の側面部に配置された側面板が、前記ベースに取付けられる第１取付部と、前記天板に取付けられる第２取付部と、前記室外熱交換器に対向した吸込口を形成し前記第１取付部および前記第２取付部よりも前記室外熱交換器から離間するように設けられた吸込部と、前記第１取付部と前記吸込部とを接続する第１接続部と、前記第２取付部と前記吸込部とを接続する第２接続部とからなり、前記吸込部は前記第１取付部および前記第２取付部と平行であることを特徴とする空気調和機の室外機。
【発明の詳細な説明】
【技術分野】
【０００１】
本発明は、空気調和機の室外機に関わり、より詳細には側面パネルの構成に関するものである。
【背景技術】
【０００２】
空気調和機の室外機は、底面を構成するベースと、ベースを覆う外胴とからなり、外胴はベースの前面に設けられた前面パネルと、ベースの両側に立設される右側パネル及び左側パネルと、これら前面パネルと右側パネル及び左側パネルの上面を覆う天板とからなっている。
【０００３】
ベース上は仕切板により機械室と熱交換室とに区画され、機械室に圧縮機とアキュームレータとが配設される一方、熱交換室に室外熱交換器と送風ファンとが配設されている。また、機械室の上部には制御基板を備えた電装ユニットが配置されている。
【０００４】
熱交換室に配置された室外熱交換器は、並設された多数のフィンとフィンに直交するように蛇行状に配設された伝熱管とからなり、本体の背面側から左側板に沿うようにＬ字状に形成されている。
【０００５】
左側パネル周縁にはベースと前面パネルと天板とに取付けられる取付部が形成され、左側パネルの中央部に吸込口が形成されており、取付部と吸込口とは同一面となっている。本体の背面側及び左側パネルの吸込口から吸込まれた空気は室外熱交換器を通過する。通過した空気は室外熱交換器の伝熱管を流れる冷媒と熱交換し、熱交換室に設けられた送風ファンにより前面パネルに形成された吹出口から本体外に排出されるようになっている（特許文献１参照）。
【先行技術文献】
【特許文献】
【０００６】
【特許文献１】特開２０００−２０５６０２号（３頁、図３）
【発明の概要】
【発明が解決しようとする課題】
【０００７】
室外熱交換器が氷点温度以下になる状態で暖房運転を行なうと、本体の背面側及び左側板の側面吸込口から吸込まれた空気が室外熱交換器により冷却されて含有される水分が凝固し、室外熱交換器の伝熱管の表面及びフィンの表面に霜あるいは氷が発生する。従来の室外機の左側パネルは、室外熱交換器に近接して配置されている為、室外熱交換器の表面に発生した霜あるいは氷が次第に成長してくると、その霜あるいは氷により左側パネルに形成された側面吸込口が塞がれてしまう不具合が生じ、側面吸込口から空気が吸い込めなくなるという問題があった。
【課題を解決するための手段】
【０００８】
本発明は、上記課題を解決するため、本体の底面を構成するベースと、ベースに取付けられ本体の前面及び左右側面部を構成する外胴と、前記外胴の上面を覆う天板と、本体内を機械室と熱交換室とに区画する仕切板と、前記機械室に配置された圧縮機と、前記熱交換室に配置されＬ字状に形成された室外熱交換器及び送風ファンとからなる空気調和機の室外機において、前記外胴の一部であって前記熱交換室側の側面部に配置された側面板が、前記ベースに取付けられる第１取付部と、前記天板に取付けられる第２取付部と、前記室外熱交換器に対向した吸込口を形成し前記第１取付部および前記第２取付部よりも前記室外熱交換器から離間するように設けられた吸込部と、前記第１取付部と前記吸込部とを接続する第１接続部と、前記第２取付部と前記吸込部とを接続する第２接続部とからなり、前記吸込部は前記第１取付部および前記第２取付部と平行であることを特徴とする構成となっている。
【発明の効果】
【０００９】
本発明によれば、左側パネルの吸込部が、室外熱交換器から離間して形成されることにより、室外熱交換器の表面に発生した霜あるいは氷が次第に発達しても、吸込部に形成された吸込口が塞がれてしまうというような不具合を防止することができる。
【図面の簡単な説明】
【００１０】
【図１】本発明による空気調和機の室外機を示す外観斜視図である。
【図２】本発明による空気調和機の室外機を示す別角度からの外観斜視図である。
【図３】本発明による空気調和機の室外機の内部構成を示す斜視図である。
【図４】本発明による空気調和機の室外機の上方からの断面図である。
【図５】本発明による空気調和機の室外機の前面からの断面図である。
【発明を実施するための形態】
【００１１】
以下、本発明の実施の形態を、添付図面に基づいた実施例として詳細に説明する。
【実施例】
【００１２】
本発明による空気調和機の室外機は、図１及び図２の外観斜視図で示すように、左右一対の脚体１ａを備えた後述するベース１と、ベース1を覆う外胴とからなっている。外胴はベース１の前面に設けられた前面パネル２と、ベース１の左側に設けられた左側パネル４と、ベース１の右側に設けられた右側パネル３と、これら前面パネル２と右側パネル３と左側パネル４の上面を覆う天板５とからなっている。右側パネル３は上部に把手８を備えるとともに、配管カバー７が着脱自在に装着できるようになっている。前面パネル２には円形状の吹出口６が形成されており、吹出口６を覆うようにファンガード６ａが取付けられている。
【００１３】
図２で示すように、左側パネル４には縦桟４ｅと複数の横桟４ｆとにより格子状の吸込口４ｄを形成した吸込部４ａが設けられ、吸込部４ａの吸込口４ｄから吸込まれた屋外の空気は、後述する室外熱交換器１３を通過して冷媒と熱交換された後、前面パネル２の吹出口６から排出されるようになっている。
【００１４】
次に、内部構成について説明する。図３で示すように、底面を構成するベース１上は、仕切板９により機械室１０と熱交換室１１とに区画されている。機械室１０には圧縮機１２及びアキュームレータ１８が配置され、熱交換室１１には、本体の背面側から左側パネル４に沿って、Ｌ字状に折曲されて形成された室外熱交換器１３が設けられている。室外熱交換器１３は、平行して並べられた多数のフィンとフィンに直交するように配設された伝熱管とからなり、伝熱管内には図示しない室内機との間で冷媒が循環するようになっている。
【００１５】
熱交換室１１には、ベース１に立設された支持台１５と支持台１５に取付けられた後述するファンモータ１７と、ファンモータ１７に軸支されたプロペラファン１４とが設けられている。また、機械室１０の上方には、各種の電装品を搭載した制御基板を備えた制御ユニット１６が設けられている。
【００１６】
プロペラファン１４が駆動されることにより本体の背面及び左側パネル４の吸込口４ｄから吸込まれた空気は、室外熱交換器１３のフィン間を通過して、伝熱管内を流れる冷媒と熱交換され、吹出口６から排出されるようになっている。
【００１７】
次に、左側パネル４の構成について詳述する。図４（Ａ）は上方から見た断面図であり、背面部１３１と折曲部１３２と側面部１３３とからなる室外熱交換器１３が本体の背面側から左側パネル４に沿ってＬ字状に折曲されて形成されるとともに、支持台１５に取付けられたファンモータ１７にプロペラファン１４が軸支されている。
【００１８】
図４（Ａ）の上方から見た断面図及び図５（Ａ）の前方から見た断面図で示すように、吸込部４ａはベース１の左側フランジ１ａよりも外側に膨出し室外熱交換器１３と離間するように形成されている。図４（Ｂ）の要部拡大図及び図５（Ｂ）の要部拡大図及に示すように、左側パネル４の周縁にはベース１の左側フランジ１ａに取付けられる取付部４ｂ−３と、前面パネル２に取付けられる取付部４ｂ−２と、天板５に取付けられる取付部４ｂ−４と、本体の背面側に取付けられる取付部４ｂ−１とが備えられている。また、吸込口４ｄが形成された吸込部４ａを備え、吸込部４ａと、取付部４ｂ−１、４ｂ−２、４ｂ−３及び４ｂ−４とは、傾斜面となった接続部４ｃにより接続されている。
【００１９】
図４（Ｂ）及び図５（Ｂ）の要部拡大図で示すように、吸込部４ａは取付部４ｂ−１、４ｂ−２、４ｂ−３及び４ｂ−４より寸法Ｌの段差を有するように形成されている。また、図４（Ａ）のＡ部で示す本体背面側の取付部４ｂ−１及び接続部４ｃを室外熱交換器１３の側面部１３３よりも背面側に近接して形成することで、取付部４ｂ−１と室外熱交換器１３との距離を充分に離間させることができる。これにより取付部４ｂと室外熱交換器１３との間を結ぶように霜、氷が形成され、それが次第に成長して吸込口４ｄを塞ぐような不具合を防止できる。
【００２０】
左側パネル４は板金からなり、プレス成型により形成されるようになっており、前述したように、左側パネル４の取付部４ｂ−１、４ｂ−２、４ｂ−３及び４ｂ−４と吸込部４ａは接続部４ｃを介して段差を有するように形成されていることにより、吸込部４ａと室外熱交換器１３とは、従来の室外機のように段差がない場合に比べて寸法Ｌだけ離間するようになっている。尚、寸法Ｌとしては、例えば２〜３ｍｍが設定されるようになっている。
【００２１】
室外熱交換器が氷点温度以下になる状態で暖房運転を行なうと、本体の背面側及び左側パネル４の吸込口４ｄから吸込まれた空気は室外熱交換器１３を通過することにより冷却される。空気流が冷却されると含有される水分が凝固し、室外熱交換器１３の伝熱管の表面及びフィンの表面に霜あるいは氷が発生する。
【００２２】
室外熱交換器１３と吸込部４ａが近接している場合、室外熱交換器１３のフィンあるいは伝熱管の表面に発生した霜、氷が次第に成長してくると、左側パネル４の吸込口４ｄが霜、氷により塞がれてしまい、吸込口４ｄからの空気の流入が阻害され、室外熱交換器１３での冷媒と空気流との熱交換に支障を生じる虞があるが、左側パネル４の吸込口４ｄを形成した吸込部４ａは、前述したように、室外熱交換器１３の表面と離間して形成されていることにより、吸込口４ｄが霜、氷により塞がれてしまうというような不具合を防止することができるようになっている。
【００２３】
室外熱交換器が氷点温度以下になる状態で暖房運転を行なっても、室外熱交換器１３に付着した霜、氷結が左側パネル４の吸込口４ｄを塞ぐことがないので、暖房運転を円滑に継続することができるようになっている。尚、本願においては、熱交換室１１側に左側パネル４が配置され、機械室１０側に右側パネル３が配置された構成として説明しているが、熱交換室１１と機械室１０の配置が逆の場合には、前述した左側パネル４の構成は右側パネル３に適用される。
【符号の説明】
【００２４】
１  ベース
１ａ  脚体
２  前面パネル
３  右側パネル
４  左側パネル
４ａ  吸込部
４ｂ  取付部
４ｃ  接続部
４ｄ  吸込口
４ｅ  縦桟
４ｆ  横桟
５  天板
６  吹出口
６ａ  ファンガード
７  配管カバー
８  把手
９  仕切板
１０  機械室
１１  熱交換室
１２  圧縮機
１３  室外熱交換器
１３１  背面部
１３２  折曲部
１３３  側面部
１４  プロペラファン
１５  支持台
１６  制御ユニット
１７  ファンモータ
【図１】
0005927854.tif 000002
【図２】
0005927854.tif 000003
【図３】
0005927854.tif 000004
【図４】
0005927854.tif 000005
【図５】
0005927854.tif 000006